(57)【特許請求の範囲】
【請求項１】
平面視略方形の天板を備えた設置体の横滑り、転倒防止構造であって、
前記設置体の後部側左右両下端と床面との間に挟み込まれるとともに、床面及び又は壁面下部に固定される左右一対の第１の部材と、
前記天板の前部左右のコーナー領域にそれぞれ係合する左右一対の第２の部材と、
前記第１の部材及び第２の部材を相互に連結するとともに、第２の部材から更に延びる延長帯を備えた左右一対の帯状体と、
前記延長帯を相互に連結して左右の帯状体を一連にするとともに、当該一連となる帯状体の全体の張力を調整する調整部材とを備え、
前記第１の部材と第２の部材との間に位置する帯状体を前記設置体の後面から側面に回り込むように掛け回すとともに、前記延長帯を前記天板の左右方向に沿わせた状態で前記調整部材を介して帯状体に張力を付与することで設置体の転倒等を防止可能としたことを特徴とする設置体の横滑り、転倒防止構造。
【請求項２】
前記第２の部材は、前記設置体のコーナー近傍の上面部分とこれに連なる前端面及び側端面に接する屈曲形状を備え、前記設置体側の面に、当該設置体に転着しない粘着剤が設けられていることを特徴とする請求項１記載の設置体の横滑り、転倒防止構造。
【請求項３】
前記設置体はキャスター及び又は不陸調整体を含む下向きの突状部を備え、当該突状部と前記第１の部材との間に突状部を受け入れ可能な受容体が介装されることを特徴とする請求項１又は２記載の設置体の横滑り、転倒防止構造。
【請求項４】
前記第１の部材及び第２の部材の間には、前記設置体の後部側縁に係合可能な中間部材が配置され、この中間部材を介して前記帯状体が設置体の後面から側面を回って前記天板上に掛け回されることを特徴とする請求項１ないし３の何れかに記載の設置体の横滑り、転倒防止構造。
【発明の詳細な説明】
【技術分野】
【０００１】
本発明は設置体の横滑り、転倒防止構造に係り、特に、ピアノ等の高重量となる設置体を、地震発生時でも安定して保持することのできる設置体の横滑り、転倒防止構造に関する。
【背景技術】
【０００２】
アップライトピアノ等の設置体は、２００kg〜３００kg程度の重量があるとともに、重心が高い構造体であることから、地震発生時には、横滑りや転倒を生じ易いものとなる。特に、例えば、阪神淡路大地震程度の震動に対しては、ピアノ自体が凶器となり得ることから、ピアノの横滑り、転倒を防止する対策が必要となる。
【０００３】
一般的な転倒防止策としては、設置体と壁面との間に、金属片からなるブラケット等を掛け渡しておき、このブラケットを壁面と設置体にねじ等で固定する構造が知られているが、ピアノは、楽器であるため、ねじや釘等を使ってブラケット等を固定することは好ましくない。
【０００４】
ところで、特許文献１には、両端に金具が取り付けられたベルトを用い、当該ベルトを設置体に掛け回した状態で張力を付与することで当該設置体の転倒等を防止しようとした転倒防止器具が開示されている。
【０００５】
【特許文献１】実用新案登録第３１１２４５５号公報
【発明の開示】
【発明が解決しようとする課題】
【０００６】
しかしながら、特許文献１に記載された転倒防止器具は、一方の金具が設置体の天板にねじ等を用いて固定される方式であり、設置体に傷を付けることが前提となるため、ピアノ等の対震構造には適合できない、という不都合がある。また、ベルトは、設置体の上面と背面に沿って掛け回される構造となっていることから、設置体の左右方向における横滑りに対しては必ずしも効果的な対震防止構造とはなっていない。
【０００７】
更に、壁面に固定される金具は、設置体の重量が加えられる状態でないため、強大な震動が発生したときには、高重量の設置体の場合には、金具自体が壁面からもぎ取られてしまうものとなり、この点からも、ピアノ等の設置体の横滑り、転倒防止には適合させることができない。
【０００８】
［発明の目的］
本発明は、このような不都合に着目して案出されたものであり、その目的は、設置体に傷等をつけることなく当該設置体の姿勢を安定的に保つことのできる設置体の横滑り、転倒防止構造を提供することにある。
【０００９】
本発明の他の目的は、設置体の重量を利用することで、床面や壁面に固定される部材が震動発生時にもぎ取られるおそれを防止することのできる設置体の横滑り、転倒防止構造を提供することにある。
【課題を解決するための手段】
【００１１】
前記目的を達成するため、本発明は、平面視略方形の天板を備えた設置体の横滑り、転倒防止構造であって、
前記設置体の後部側左右両下端と床面との間に挟み込まれるとともに、床面及び又は壁面下部に固定される左右一対の第１の部材と、
前記天板の前部左右のコーナー領域にそれぞれ係合する左右一対の第２の部材と、
前記第１の部材及び第２の部材を相互に連結するとともに、第２の部材から更に延びる延長帯を備えた左右一対の帯状体と、
前記延長帯を相互に連結して左右の帯状体を一連にするとともに、当該一連となる帯状体の全体の張力を調整する調整部材とを備え、
前記第１の部材と第２の部材との間に位置する帯状体を前記設置体の後面から側面に回り込むように掛け回すとともに、前記延長帯を前記天板の左右方向に沿わせた状態で前記調整部材を介して帯状体に張力を付与することで設置体の転倒等を防止する、という構成を採ることができる。
【００１２】
前記構造において、前記第２の部材は、前記設置体のコーナー近傍の上面部分とこれに連なる前端面及び側端面に接する屈曲形状を備え、前記設置体側の面に、当該設置体に転着しない粘着剤が設けられる、という構成を採るとよい。
【００１３】
また、前記設置体はキャスター及び又は不陸調整体を含む下向きの突状部を備え、当該突状部と前記第１の部材との間に突状部を受け入れ可能な受容体が介装される構成も採用することができる。
【００１４】
更に、前記第１の部材及び第２の部材の間には、前記設置体の後部側縁に係合可能な中間部材が配置され、この中間部材を介して前記帯状体が設置体の後面から側面を回って前記天板上に掛け回される、という構成を採っている。
【発明の効果】
【００１５】
本発明によれば、第１の部材と第２の部材が設置体に対して締結具等を用いて固定されない構成を前提としているため、ピアノ等の設置体を傷つけることなく耐震精度を維持することができる。
また、床面側に固定される第１の部材が設置体と床面との間に挟み込まれた状態に保たれるため、つまり、第１の部材が設置体の重さを受ける構成となるため、震動発生に伴って第１の部材が床面からもぎ取られるような不都合を効果的に防止することができる。
更に、第１の部材と第２の部材との間の帯状体は、設置体の下部後面から設置体の側面を回り、第２の部材から延在する延長帯が天板の上面に左右方向に沿う状態となるため、設置体の上下方向における震動や、前後方向及び左右方向の滑りを有効に阻止することができる。
更に、設置体におけるキャスター等の突状体を受容体に受容させる構成とした場合には、設置体の下面が平面でない場合であっても本発明の適用を容易なものとすることができる他、キャスターの自由な移動も規制可能となる。
【００１６】
更に、設置体の後部側縁に係合可能な中間部材を配置した構成により、帯状体を設置体の下部後面から側面上部に掛け回す中間位置を安定して保持することができる。
【発明を実施するための最良の形態】
【００１７】
以下、本発明の好ましい実施の形態について図面を参照しながら説明する。
【００１８】
図１には、本発明に係る転倒等の防止構造を実現する耐震用具１０が設置体としてのアップライト型のピアノ１１に適用された概略斜視図が示され、図２には、図１の斜視図からピアノを省略した状態の概略斜視図が示されている。これらの図において、耐震用具１０は、ピアノ１１の後部左右両側下端と床面Ｆ（図３参照）との間にそれぞれ位置する第１の部材としての左右一対のＬ型金具１３，１３と、ピアノ１１における天板１４の前部左右コーナー領域にそれぞれ係合する第２の部材としての左右一対のコーナー金具１５，１５と、これらＬ型金具１３及びコーナー金具１５を相互に連結するとともに、各コーナー金具１５から更に延在する延長帯１７Ａ,１７Ａを備えた左右一対の紐状部材としての帯状体１７，１７と、各延長帯１７Ａを相互に連結して一連にするとともに帯状体１７，１７全体の張力を調整可能とする調整部材としてのバックル１８と、ピアノ１１の後面左右両側の上下方向中間位置にそれぞれ配置されて前記帯状体１７，１７の駆け回し方向を変更する中間部材としての左右一対のＬ型ブラケット１９，１９とを備えて構成されている。
【００１９】
前記Ｌ型金具１３は、図３及び図４に示されるように、床面Ｆに接する平面視略方形の平面部２０と、この平面部２０の一端に連なるとともに、壁面Ｗの下部、例えば巾木等に接する起立面部２１とを含む。平面部２０及び起立面部２１には、ねじ若しくは釘２３を介してＬ型金具１３を固定するための固定用孔２４が複数箇所に形成されている。起立面部２１の上部には、幅方向に延びる三つの長孔２６が形成されており、これらの長孔２６に前記帯状体１７の一端側を挿通させた状態で、帯状体１７の一端側が公知の長さ規制部材２８を介して閉ループ状に束ねられている。ここで、前記平面部２０の上面側には、受容体としてのインシュレーター３０が載るように配置され、当該インシュレーター３０の中央部に設けられた凹部３０Ａに、ピアノ１１の後部下端面に取り付けられた突状部としてのキャスター３１が受容され、これにより、Ｌ型金具１３の一部すなわち平面部２０が、ピアノ１１と床面Ｆとの間に挟み込まれてＬ型金具１３にピアノ１１の重量が付加されるようになっている。
【００２０】
前記コーナー金具１５は、図５及び図６に示されるように、天板１４のコーナー上面に接する平面視略方形の板状部３２と、この板状部３２における連続する二つの端縁から垂下する前部垂下片３３及び側部垂下片３４とを備えた屈曲形状とされ、この前部垂下片３３が天板１４の前端面側に接する一方、側部垂下片３４が天板１４の側端面側に接するようになっている。板状部３２の下面側には、粘着剤としてのゲル状の粘着シートＳが接着されており、当該粘着シートＳを介してコーナー金具１５を天板１４の上面に粘着することで、天板１４にねじ穴等の傷を形成することなくコーナー金具１５を係合させることが可能となっている。この際、粘着シートＳは、天板１４側に転着することがないものが採用されており、これにより、コーナー金具１５を取り外すことがあっても、天板１４の上面がべとつくことがないように保たれる。
【００２１】
コーナー金具１５において、前記板状部３２及び側部垂下片３４にはそれぞれスロット穴３２Ａ、３４Ａが形成されており、Ｌ型金具１３から延びる帯状体１７は、スロット穴３４Ａを通ってコーナー金具１５の外面側に引き出されるとともに、板状体３３の上面側からスロット穴３２Ａを経て延長帯１７Ａを導出させるようになっている。
【００２２】
前記バックル１８は、図７に示されるように、平面視略方形のフレーム４０と、このフレーム４０の図７中紙面直交方向に沿う前後二片のフレーム部分間に配置された左側連結体４２及び右側連結体４３とを備えて構成されている。図７中右側に位置する延長帯１７Ａは、右側連結体４３に掛け回されて当該右側連結体４３とフレーム４０との間の隙間を経て右側に引き出されている。この一方、図７中左側に位置する延長帯１７Ａは、前記左側連結体４２に掛け回されて当該左側連結体４２とフレーム４０との間の隙間を経て左側に引き出され、更にその先端側には、公知の長さ規制部材４５を介して閉ループ状に束ねられている。
【００２３】
前記中間部材としてのＬ型ブラケット１９は、図２及び図８に示されるように、ピアノ１１の後面に沿う後面部４７と、この後面部４７に連なってピアノ１１の側面に沿う側面部４８とを備えた形状に設けられている。後面部４７の下部には、略水平方向に延びる長孔４７Ａが形成されている一方、側面部４８には、略鉛直方向に延びる長孔４８Ａが形成され、これら各長孔４７Ａ、４８Ａを通って帯状体１７を掛け回すことで、当該帯状体１７がピアノ１１の後面と側面に掛け回すことができるようになっている。なお、Ｌ型ブラケット１９の内面側には、前述したコーナー金具１５と同様の粘着シートＳが配置され、これにより、Ｌ型ブラケット１９の装着位置が一定に保たれるようになっている。
【００２４】
次に、本実施形態における耐震用具１０の装着方法について説明する。
【００２５】
ここでは、図２に示されるように、左右の帯状体１７，１７が一連に接続されている状態を初期状態とし、また、帯状体１７は、Ｌ型金具１３，Ｌ型ブラケット１９及びコーナー金具１５に挿通されているものとする。
【００２６】
帯状体１７の掛け回し作業が行える程度にバックル１８を緩めておき、Ｌ型金具１３を床面Ｆ及び壁面Ｗの下部に固定する。そして、Ｌ型金具１３の平面部２０にインシュレーター３０を配置するとともに、当該インシュレーター３０の凹部３０Ａにピアノ１１の後部キャスター３１を受容させる。これにより、Ｌ型金具１３がピアノ１１と床面Ｆとの間に挟まれてピアノ１１の荷重を受けた状態となる。
【００２７】
次いで、Ｌ型ブラケット１９をピアノ１１の左右後部両側に配置するとともに、コーナー金具１５を天板１４の各コーナー領域に配置する。この状態で、バックル１８から導出している延長帯１７Ａを引き出して一連に連なる左右の帯状体１７の全長を短くして張力を付与することで、ピアノ１１の固定を完了することができる。
【００２８】
なお、ピアノ１１の調律等の必要性が生じたときは、前記バックル１８を緩めてコーナ金具１５を取り外すことで、天板１４を開いて所要の作業を行うことができる。
【００２９】
従って、このような実施形態によれば、ピアノ１１を傷つけることなく床面Ｆ及び壁面Ｗに固定することができる、という効果を得る。
【００３０】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状、配置などを限定した記載は、本発明の理解を容易にするために例示的に記載したものであり、本発明を限定するものではない。
【００３１】
例えば、前記実施形態では、ピアノ１１を設置体とした場合を図示説明したが、仏壇や、その他の家具類を対象として本発明を適用することも可能である。
【００３３】
更に、前記Ｌ型金具１３，コーナー金具１５及びＬ型ブラケット１９の形状は図示構成例に限定されるものではなく、前記帯状体１７を掛け回すことができる限りにおいて形状変更してもよい。
【図面の簡単な説明】
【００３４】
【図１】本発明に係る横滑り、転倒防止構造がピアノに適用された実施形態を示す概略斜視図。
【図２】ピアノを省略した図１と同様の概略斜視図。
【図３】図１のＡ−Ａ線に沿う矢視拡大断面図。
【図４】図３に示す領域の概略斜視図。
【図５】図１のＢ−Ｂ線に沿う矢視拡大断面図。
【図６】（Ａ）コーナー金具の拡大斜視図、（Ｂ）は（Ａ）コーナー金具を反対側から見た斜視図。
【図７】図１のＣ−Ｃ線矢視拡大断面図。
【図８】図１のＤ矢視拡大図。
【符号の説明】
【００３５】
１０…耐震用具、１１…ピアノ（設置体）、１３…Ｌ型金具（第１の部材）、１４…天板、１５…コーナー金具（第２の部材）、１７…帯状体（紐状部材）、１７Ａ…延長帯、１８…バックル（調整部材）、１９…Ｌ型ブラケット（中間部材）、３０…インシュレーター（受容体）、３１…キャスター（突状部）、Ｓ…粘着シート（粘着剤）、Ｆ…床面、Ｗ…壁面
【図１】
0004410197.tif 000002
【図２】
0004410197.tif 000003
【図３】
0004410197.tif 000004
【図４】
0004410197.tif 000005
【図５】
0004410197.tif 000006
【図６】
0004410197.tif 000007
【図７】
0004410197.tif 000008
【図８】
0004410197.tif 000009